(57)【要約】【課題】  外観意匠が半円筒状で、大きさを様々な長さおよび半径に仕上げ可能であり、しかも、構造が堅牢且つ美麗で、製作コストが安価であるカバー構造を提供すること。【解決手段】  カバー部材６と、このカバー部材６が取り付けられるフレーム２を有するカバー構造において、カバー部材６は両先端が一側縁部６ａと他側縁部６ｂで形成される略半円筒状に曲げ可能な可撓性の平板からなり、フレーム２におけるフレーム表面部２ａの一対の嵌合溝部２ｃには略半円筒形状に曲げたカバー部材６の一側縁部６ａと他側縁部６ｂをそれぞれ嵌合すると共に、この嵌合溝部２ｃに連続して形成した取付部２ｂには先に嵌合状態にあるカバー部材６の一側縁部６ａと他側縁部６ｂを固定具８でそれぞれ固定してある。【選択図】  図１
2005242150.tif 000002
【特許請求の範囲】
【請求項１】
カバー部材と、このカバー部材が取り付けられるフレームを有するカバー構造において、
前記カバー部材は両先端が一側縁部と他側縁部で形成される略半円筒状に曲げ可能な可撓性の平板からなり、前記フレームにおけるフレーム表面部の一対の嵌合溝部には略半円筒形状に曲げたカバー部材の一側縁部と他側縁部をそれぞれ嵌合すると共に、この嵌合溝部に連続して形成した取付部には先に嵌合状態にあるカバー部材の一側縁部と他側縁部を固定具でそれぞれ固定してあることを特徴とするカバー構造。
【請求項２】
嵌合溝部の内側面部分と取付部の取付面部分が面一に連続し、取付面部分がガイド面部を兼ねるように形成してあることを特徴とする請求項１記載のカバー構造。
【発明の詳細な説明】
【技術分野】
【０００１】
本発明は、宣伝あるいは広告もしくは掲示用の各種の表示装置における表示効果を高めるのに備えられる装飾照明部等のカバー構造に関し、さらに詳しくは、外観意匠が半円筒状で、大きさを長短大小（長さおよび半径）に仕上げ可能なカバー構造に関係している。
【背景技術】
【０００２】
この種の表示装置では、表示効果を高めるため、装置の外周の全てあるいは一部に装飾照明部を備えている。装飾照明部は、内部の発光体を透光性のカバー部材で覆うことで破損などから保護しているものである。
そして、カバー部材はあらかじめ半円筒状に成形し、両先端を装置のフレームにおける取付部にビス止めしてある。
そのため、カバー部材は、求められる大きさの半径のものに応じて個々に製作しなければならず、コスト的に高価である。
また、特許文献1が有り、合成樹脂製の平シートに販売対象商品を表現する印刷を施した商品表示ラベル１３を取り外し可能な状態で半円筒状に保持するラベル保持手段１５が記載されている。この構成は、商品表示ラベル１３の左右両側を、それの裏面側で近づけるように、この商品表示ラベル１３を半円筒状に曲げて、この商品表示ラベル１３をラベル保持手段１５に背面側から差し込み、且つ、商品表示ラベル１３の両端縁をラベル係止部２５、２５に係止させているものである。
ところで、かかる先行文献１のものでは、ラベル保持手段１５という別部材を必要とする構成であるため、製作コストが高くなっている。
【特許文献１】特開２００３−３２３６６５
【発明の開示】
【発明が解決しようとする課題】
【０００３】
解決しようとする課題は、第１には、外観意匠が半円筒状で、大きさを様々な長さおよび半径に仕上げ可能であり、しかも、構造が堅牢且つ美麗で、製作コストが安価であるカバー構造を、第２には、さらに、組立作業が迅速に行なえるように構造化されているカバー構造を提供することを目的としている。
【課題を解決するための手段】
【０００４】
本発明は前記した課題を達成するため、以下の構成にしたことを特徴とする。
１．カバー部材と、このカバー部材が取り付けられるフレームを有するカバー構造において、前記カバー部材は両先端が一側縁部と他側縁部で形成される略半円筒状に曲げ可能な可撓性の平板からなり、前記フレームにおけるフレーム表面部の一対の嵌合溝部には略半円筒形状に曲げたカバー部材の一側縁部と他側縁部をそれぞれ嵌合すると共に、この嵌合溝部に連続して形成した取付部には先に嵌合状態にあるカバー部材の一側縁部と他側縁部を固定具でそれぞれ固定してあることを特徴とする。
２．前記した１において、嵌合溝部の内側面部分と取付部の取付面部分が面一に連続し、取付面部分がガイド面部を兼ねるように形成してあることを特徴とする。
本発明におけるカバー部材は、略Ｃ形状に曲げ可能な可撓性の平板であればよく、透明あるいは乳白色などの透光性の適宜の樹脂製のものになる。
フレーム部材は、押出成形等により成形される金属製の通し材である。
【発明の効果】
【０００５】
Ａ．請求項１により、平板の長さおよび／または幅を代えることで、カバーの外観意匠を長短大小の大きさの半円筒状に仕上げることができ。しかも、カバー部材における両側縁部がフレームの嵌合溝部に嵌合状態に固定されていることで、カバーの側縁がすっきりとして意匠的に美麗であり、そして、同状態に固定具で固定されていて構造が堅牢である。さらに、製作コストが安価で経済的に有利である。
Ｂ．請求項２により、さらに、取付部の取付面部分がカバー部材の側縁部を嵌合溝部内へ案内するガイド面部を兼ねているので、カバー部材の側縁部を嵌合溝部に嵌合するに際し、取付面部に沿い側縁部を移動させて嵌合溝部内へスムーズに嵌合でき、組立作業を迅速に行なうことができる。
【発明を実施するための最良の形態】
【０００６】
図１および図２には本発明のカバー構造における実施の１形態として、電光掲示装置への採用例を示しており、電光掲示装置１は両面掲示タイプで、枠状のフレーム２に保持した前後の透光性掲示板３を内部の発光体４で内側から照らし出すように形成してある。そして、フレーム２における左右のフレーム表面部２ａには装飾照明部５を設け、この左右の装飾照明部５におけるカバー部材６が内部の発光体７で内側から照らし出されるように形成してある。
フレーム２は、押出成形されたアルミニウム製のフレーム部材を枠状に組み立てて形成してあるもので、左右のフレーム表面部２ａには、前後一対の取付部２ｂを前後平行状に配設すると共に、この取付部２ｂに連続させて嵌合溝部２ｃをそれぞれ設けてある。
この嵌合溝部２ｃの内側面部分２ｃ１と取付部２ｂの取付面部分２ｂ１は段差のない面一に連続し、取付面部分２ｂ１がガイド面部２ｄを兼ねるように形成してあり、カバー部材６側縁部を嵌合溝部２ｃに嵌合するに際し、カバー部材６側縁部が取付面部分２ｂ１すなわちガイド面部２ｄに沿い移動して嵌合溝部２ｃ内へスムーズに嵌合し得るようにしてある。
【０００７】
カバー部材６は、略半円筒状に曲げ可能な可撓性を有する透明あるいは乳白色の合成樹脂からなる平板で、所望の半円筒状になる横幅と縦幅を有している。このカバー部材６は、
前端の前側縁部６ａを前側の嵌合溝部２ｃに、後端の後側縁部６ｂを後側の嵌合溝部２ｃに、それぞれ嵌合し、且つ、この嵌合状態にある前側縁部６ａと後側縁部６ｂを取付部２ｂにビス８で止着して固定することで、半円筒状に曲げられた状態に仕上げられている。
これにより、前記した電光掲示装置１では、表示効果を高めるための装飾照明部５が備えられ、この装飾照明部５は、内部の発光体７がカバー部材６で覆われて破損などから保護されているものである。
【図面の簡単な説明】
【０００８】
【図１】本発明のカバー構造における実施の１形態として、電光掲示装置への採用例を示している横断平面図。
【図２】部分拡大横断面図。
【符号の説明】
【０００９】
１  電光掲示装置
２  フレーム
２ａ  フレーム表面部
２ｂ  取付部
２ｃ  嵌合溝部
２ｃ１  内側面部分
２ｂ１  取付面部分
２ｄ  ガイド面部
３  掲示板
４、７  発光体
５  装飾照明部
６  カバー部材
６ａ  前側縁部（一側縁部）
６ｂ  後側縁部（他側縁部）
８  ビス
【図１】
2005242150.tif 000003
【図２】
2005242150.tif 000004